(57)【要約】      （修正有）【課題】抜け落ち防止の機能が高く、そのうえ、ピアスと髪飾りが互いに連携し、両者が一体となって協調して、耳から髪まで切れ目なく装飾し、身に着ける人を一層美しく飾るアクセサリーを提供する。【解決手段】髪飾り１およびピアス５でなる。髪飾り１は、枝状部２１〜２３、円環４およびヘアピンで構成されている。枝状部２１，２３の裏側にはヘアピンがろう付けしてある。ピアス５はチェーン５１および案内ピン５２でなる。チェーン５１の一端が髪飾り１に連結されているので、両者が統一された一つのアクセサリーを構成しており、耳部分と髪部分との装飾が切れ目なく互いに連携して、統一された一つの美的観念を生む。髪飾り１およびピアス５がチェーン５１で繋がれているので、一方が抜け落ちても他方は耳または髪に取り付けられて残っており、アクセサリー全体が抜け落ちにより失われるおそれがほとんどない。【選択図】図１
0003202657.tif 000002
【実用新案登録請求の範囲】
【請求項１】
耳たぶなどの外耳にあけた穴を挿通される細長い鎖状体を主部とするピアス部と、前記鎖状体の一端に連結された髪飾り部とを有することを特徴とするピアスと髪飾りが一体化したアクセサリー。
【請求項２】
前記髪飾りは、中空または中実の金属棒にヘアピンを固着してなるヘアピン付き金属棒を有し、
前記ヘアピン付き金属棒におけるヘアピンは前記髪飾りの裏側にある
ことを特徴とする請求項１に記載のピアスと髪飾りが一体化したアクセサリー。
【請求項３】
前記髪飾りは、２本の前記ヘアピン付き金属棒と、１本の別の金属棒とを有し、
２本の前記ヘアピン付き金属棒と、１本の前記別の金属棒とは、各金属棒の片端で互いにろう付けされ、これら各金属棒は前記ろう付けされた部位から平面上に互いに角度をなして枝状に広がり、前記鎖状体の一端は前記ろう付けされた部位に連結されている
ことを特徴とする請求項２または３に記載のピアスと髪飾りが一体化したアクセサリー。
【請求項４】
前記髪飾りの正面形の輪郭が平行四辺形をなし、前記平行四辺形の４辺は金属棒でなり、前記平行四辺形における対向する２辺が前記ヘアピン付き金属棒であることを特徴とする請求項２または３に記載のピアスと髪飾りが一体化したアクセサリー。
【請求項５】
前記髪飾りの正面形が円環をなし、
前記円環に梁部が設けてあり、
前記梁部が前記ヘアピン付き金属棒である
ことを特徴とする請求項２または３に記載のピアスと髪飾りが一体化したアクセサリー。
【考案の詳細な説明】
【技術分野】
【０００１】
本考案は、耳たぶなど外耳に穴を開けてとりつける耳飾りであるピアス(英語名pierced earring)と、ヘアピン（Hair pin）等の留め具で髪にとめられる髪飾りが一体化したアクセサリーに関する。
【背景技術】
【０００２】
ピアスは、耳たぶなど外耳に穴を開けてとりつける耳飾りである。英語でいう「ピアス (pierce)」は、元来「穴を貫通させる」という意味の動詞であるが、本願では、日本での通称に従い、耳たぶなど外耳の穴に通す装身具をピアスと称することとする。なお、本願においてピアスと称する装身具は、英語でpierced earring（ピアスド  イヤリング）と称されているものに相当する。
【０００３】
髪飾りは、美的な表面形をなす主部とその主部を髪にとめるための留め部とを有してなる。主部は、花、木や草の葉、蝶などの自然物の模型、或は自然物そのもの、さらには幾何学的形状、ダイヤモンド等の宝石で飾ったもの等、各種の美的な表面形をなしている。留め部は、ヘアピン（Hair pin）と称されるものである。本願では、ヘアピンは、アメピン、Ｕピン、スティックピン、かんざし等各種の名で称されるもので、主部を髪に固定する機能の他に、髪を纏めたりカールやウェーブを作る際の道具として用いられる留め具全般を指すものとする。
【０００４】
これらピアスや髪飾りといった身体に付けるアクセサリーにおいては、美的感性に訴える外観を有することが最優先に求められるとともに、簡単には抜け落ちたり、落下したりしないことも必須である。
【０００５】
抜け落ちを防止する構造を有する従来のピアスとしては、例えば特許文献１（特開平０８-１４０７１７号公報）の発明「耳飾り」が開示されている。その図１に示されたピアス（１）について次のように説明されている。このピアス１は、耳たぶの表側に配置される本体（２）と、耳たぶに予め開けられた孔に挿通される案内ピン（４）と、本体（２）および案内ピン（４）を連結するとともに環状の係止部として作用するストッパー（６）と、を備えている。案内ピン（４）が耳たぶの孔に挿通されると、ストッパー（６）が案内ピン（４）に追従して孔に挿通される。この場合、ストッパー（６）を僅かに潰して回転しながら耳たぶの孔に挿通する。そして、ストッパー（６）は、耳たぶの裏側で元の形に戻りピアス（１）を耳たぶに係止する。また、ストッパー（６）を本体（２）のピン（７）に対して略９０度折曲げることにより、ピアス（１）の抜け落ちを確実に防止できる。
【０００６】
抜け落ちを防止する構造を有する従来の髪飾りとしては、例えば特許文献２（特開平０９-３１３２３８号公報）の発明「髪飾り」が開示されている。その図１に示された髪飾り（１）について次のように説明されている。この髪飾りは、それぞれ中間部がＵ字状に折り曲げられたＵ状ピン（３Ａ），（３Ｂ）を、そのＵ字部を互いに十字状に交差させた状態で固定して、４本の細い棒状部（３ａ〜３ｄ）がそれぞれ間隔を置いて互いに平行する髪挿入棒状部（２）を形成する。髪挿入棒状部（２）は、４本の互いに間隔を置いて平行した棒状部（３ａ〜３ｄ）を有しているので、その部分を毛髪に差し込んだだけでも、それがしっかりと毛髪に保持されて容易に脱落しない。
【先行技術文献】
【特許文献】
【０００７】
【特許文献１】特開平０８-１４０７１７号公報
【特許文献２】特開平０９-３１３２３８号公報
【考案の概要】
【考案が解決しようとする課題】
【０００８】
前記特許文献１に記載されたピアスは、前述したように、ストッパー（６）を備えている。ストッパー（６）は、僅かに潰して回転しながら、案内ピン（４）に追従して耳たぶの孔に挿通され、耳たぶの裏側で元の形に戻りピアス（１）を耳たぶに係止する。そして、ピアス（１）の抜け落ちを確実に防止するためには、ストッパー（６）は本体（２）のピン（７）に対して略９０度折曲げることが求められる。このように、特許文献１のピアスには、本来の目的の装飾には不要なストッパー（６）を抜け落ちを防止専用に要し、そのストッパー（６）は僅かに潰して回転しながら耳たぶの孔に挿通するので、構造が複雑で、取り付けの操作も面倒であるという解決するべき課題がある。
【０００９】
前記特許文献２に記載された髪飾りは、前述したように、Ｕ字部を互いに十字状に交差させた状態で固定したＵ状ピン（３Ａ），（３Ｂ）を有している（Ｕ状ピンを用いる通常の髪飾りでは、Ｕ状ピンは１本）ので、構造が複雑である。また、それら２本のＵ状ピンの一部である４本の細い棒状部（３ａ〜３ｄ）を毛髪に差し込み、それら４本の細い棒状部（３ａ〜３ｄ）で毛髪を挟んで、髪飾り（１）が毛髪に保持されるのであるから、髪飾りの本体部分（飾り部（５））が衣類や樹の枝に触れたとき等には容易に脱落してしまうおそれがある。このように、特許文献２に記載された髪飾りには、構造が複雑で、抜け落ち防止の機能が不十分であるという解決するべき課題がある。
【００１０】
上述のように、従来のピアス及び髪飾りでも、抜け落ち防止のためにある程度の工夫はそれぞれなされていたが、両者は身体の頭部において互いに近い位置に装着されるアクセサリーでありながら、互いに連携し、両者が一体となって協調して、身に着ける人を一層美しく飾る試みはなされてこなかった。
【００１１】
（本考案の目的）
本考案は、前述の課題を解決するためになされたものであり、抜け落ち防止の機能が高く、そのうえ、ピアスと髪飾りが互いに連携し、両者が一体となって協調して、耳から髪まで切れ目なく装飾し、身に着ける人を一層美しく飾るアクセサリーを提供することを、その目的としている。
【課題を解決するための手段】
【００１２】
前述の課題を解決するため、本考案によるピアスと髪飾りが一体化したアクセサリーは、主に、次のような特徴的な構成を採用している。
【００１３】
本考案によるピアスと髪飾りが一体化したアクセサリーは、耳たぶなどの外耳にあけた穴を挿通される細長い鎖状体を主部とするピアス部と、前記鎖状体の一端に連結された髪飾り部とを有することを特徴とする。
【考案の効果】
【００１４】
本考案のピアスと髪飾りが一体化したアクセサリーによれば、以下のような効果を奏することができる。
【００１５】
すなわち、本考案においては、ピアス部は、耳たぶなどの外耳にあけた穴に挿通される細長い鎖状体を主部とし、その鎖状体の他端は髪飾り部に連結されている。そこで、本考案によるピアスと髪飾りが一体化したアクセサリーは、ピアス部と髪飾り部とが一体となって全体として統一された一つのアクセサリーをなしている。このように、ピアス部と髪飾り部とが一体となって全体として統一された一つのアクセサリーを構成することにより、人の頭部を一つの調和した美でもって飾ることが可能になる。また、この一体構造により、耳と髪との間が切れ目なく装飾されるので、耳と髪の飾りが連携して装飾され、人の頭部の美観が一層強調される。更に、耳から髪飾り部までの間のピアス部が鎖状体であることから、この部分のピアス部は可撓制に富み、人の動きに応じて搖動し、人の目を引き付ける効果が極めて高い。また。鎖状体の長さは任意に設計できるし、髪飾りを付ける位置も任意に選択できるので、耳から髪飾り部までの間のピアス部の長さは自在に調節できる。そこで、本考案のピアスと髪飾りが一体化したアクセサリーによれば、好みにしたがって様々に美を表現できる。
【００１６】
また、本考案では、ピアス部と髪飾り部とが繋がって、一体に構成されているので、両者が同時に抜け落ちることは通常はあり得ず、どちらか一方が抜け落ちても、他方は元の位置に留まっていて、アクセサリーを装着している人自身で気付く可能性が極めて高い。したがって、本考案のアクセサリーは、抜け落ち防止機能が非常に高い。
【００１７】
前述の従来技術では、抜け落ち防止のための格別な構造を要し、しかも抜け落ち防止機能が不十分であったが、本考案では、抜け落ち防止のための格別な構造を要せず、しかも非常に高い抜け落ち防止の機能を有する。このように、本考案によれば、従来技術の課題が見事に解決される。
【図面の簡単な説明】
【００１８】
【図１】本考案の第１の実施形態を概念的に示す正面図である。
【図２】図１の実施形態の要部を拡大して示す正面図である。
【図３】図１、図２に示した実施形態における髪飾り１の背面に設けてあるヘアピン３の側面図（Ａ）およびその髪飾り１の背面図（Ｂ）である。
【図４】図３に示した髪飾り１における枝状部２１，２２，２３に用いられる金属棒２を示す正面図（Ａ）、金属棒２の右側面図（Ｂ）および金属棒２にヘアピン３（図６）をろう付けして構成したヘアピン付き金属棒６を示す側面図である。
【図５】図３（Ｂ）に背面図で示した髪飾り１の正面図である。
【図６】図３（Ａ）に示したヘアピン３の正面図（Ａ）、側面図（Ｂ）および背面図（Ｃ）である。
【図７】本考案の第２の実施形態を概念的に示す正面図（Ａ）、その背面図（Ｂ）、その一部を拡大した拡大背面図（Ｃ）およびこの拡大背面図に現れているヘアピン３の側面図（Ｄ）である。
【図８】本考案の第３の実施形態を概念的に示す正面図（Ａ）、その一部を拡大した拡大背面図（Ｂ）およびこの拡大背面図に現れているヘアピン３の側面図（Ｃ）である。
【図９】本考案における髪飾りを髪に留めるのに用いるヘアピンの別の例を示すための側面図（Ａ）、この図（Ａ）のヘアピン３ａが取り付けられる中空金属棒２ａを示す斜視図（Ｂ）および本図（Ａ）のヘアピン３ａにおける直線形部３２ａを本図（Ｂ）の金属棒２ａの中空円筒に挿入したところを示す斜視図である
【図１０】本考案の第１の実施形態であるピアスと髪飾りが一体化したアクセサリーが女性に装着された様子を概念的に示す図である。
【考案を実施するための形態】
【００１９】
以下、本考案によるピアスと髪飾りが一体化したアクセサリーの実施形態
について添付図を参照して説明する。なお、以下の各図面に付した図面参照符号は、理解を助けるための一例として各要素に便宜上付記したものであり、本考案を図示の態様に限定することを意図するものではないことは言うまでもない。
【００２０】
（本考案の特徴）
本考案の実施形態の説明に先立って、本考案の特徴についてその概要をまず説明する。本考案は、前述のとおり、耳たぶなどの外耳にあけた穴を挿通される細長い鎖状体を主部とするピアス部と、前記鎖状体の一端に連結された髪飾り部とを有することを主要な特徴とする
【００２１】
かくのごとく、ピアス部が主として鎖状体でなり、この鎖状体の一端に髪飾り部が連結されている構成であるので、ピアスと髪飾りとが独立した単体であった従来の頭部のアクセサリー概念から脱却し、両者が統一された一つのアクセサリーとなっていることが本考案の最大の特徴である。このような構成の本考案のアクセサリーでは、耳部分と髪部分との装飾が互いに連携して、統一され一つの美的観念を生むとともに、外耳から髪飾りに至る間もピアス部である鎖状体で飾られ、ピアスと髪飾りが互いに孤立して設けられた状態に比べ、はるかに広い空間が美的に飾られることとなる。また、機能的にも、ピアス部および髪飾り部とは、耳および髪にそれぞれに取り付けられるので、一方が抜け落ちても他方は耳または髪に取り付けられて残っているので、一方が抜け落ちた時に本アクセサリーを装着している人は気付くことができる。したがって、本考案のアクセサリーは、抜け落ちにより失われるおそれがほとんどない。
【００２２】
（本考案の実施の形態）
次に、本考案の実施の形態について図面を参照しながら詳細に説明する。図１は本考案の第１の実施形態を概念的に示す正面図、図２は図１の実施形態の要部を拡大して示す正面図、図３は図１、図２に示した実施形態における髪飾り１の背面に設けてあるヘアピン３の側面図（Ａ）およびその髪飾り１の背面図（Ｂ）である。そして、図１乃至３に示す第１の実施形態であるピアスと髪飾りが一体化したアクセサリーでもって女性の頭部を飾った状態が図１０に概念的に示してある。
【００２３】
この第１の実施形態は、髪飾り１（前述の髪飾り部に相当）およびピアス５（前述のピアス部に相当）でなる。髪飾り１は、第１の枝状部２１、第２の枝状部２２、第３の枝状部２３、円環４およびヘアピン３で構成されている。第１乃至第３の枝状部２１乃至２３には、それぞれ図４に示す金属棒２が用いられている。図４は、図３に示した髪飾り１における枝状部２１，２２，２３に用いられる金属棒２を示す正面図（Ａ）、金属棒２の右側面図（Ｂ）および金属棒２にヘアピン３（図６）をろう付けして構成したヘアピン付き金属棒６を示す側面図（Ｃ）である。この金属棒２は、長さ5cm、直径1.8mmの真鍮（金、銀その他の金属でもよい。）製の丸棒である。枝状部２１，２２，２３の表面は1つの平面に揃っている。
【００２４】
ヘアピン３は、図６に示すように、連続した一つの真鍮などの金属（真鍮以外では、例えば金、銀）をＵ字型に折り曲げてなり、Ｕ字部より上側の波状の側面形をなした部分を押えバネ部３１と称し、Ｕ字部より下側の直線的形状をなす部分を直線形部３２と称することとする。図６は、図３（Ａ）のヘアピン３を示す図であり、それぞれ正面図（Ａ）、側面図（Ｂ）および背面図（Ｃ）である。押えバネ部３１は、押えバネ部３１自体の弾力で直線形部３２に対し押し付けられている。
【００２５】
髪飾り１における第１の枝状部２１および第３の枝状部２３を形成するために、図４（Ａ）の金属棒２を２本用い、各金属棒２に図６のヘアピン３を夫々ろう付けする。図４（Ｃ）は、ヘアピン３の直線部３２を金属棒２にろう付けして製作したヘアピン付き金属棒６を示す側面図である。図４（Ｃ）に現れているように、押えバネ部３１が上側（図４（Ｃ）の状態で見たときに上側）にある。第２の枝状部２２にはヘアピンが固着されていないので、第２の枝状部２２の形成には図４（Ａ）の１本の金属棒２を用いる。ヘアピン３が夫々ろう付けされた２本のヘアピン付き金属棒６と、ヘアピンがろう付けされていない１本の金属棒２とを、図１乃至図３に符号２１〜２３で示すように、互いに所定の角度を持たせた状態で、各金属棒２の一端を当接し、各金属棒２における当接した部分を互いにろう付けする。このとき、ヘアピン３は、第１の枝状部２１および第３の枝状部２３において同じ側に面しており、図３（Ｂ）に示すように、仕上がった髪飾りにおいて裏面に位置している。このようにろう付けにより互いに固着された第１の枝状部２１、第２の枝状部２２および第３の枝状部２３の端部に真鍮等の金属（真鍮以外では、例えば金、銀）の円環４をろう付けする。このようにして一体化した第１の枝状部２１、第２の枝状部２２および第３の枝状部２３ならびに円環４に金メッキを施すことにより、髪飾り１が仕上がる。図５は、このようにして製作した髪飾り１の正面図である。
【００２６】
ピアス５は、チェーン５１（前述の鎖状体に相当）および案内ピン５２でなる。チェーン５１は、長さ20cm、太さ0.5mmであり、銀、真鍮、ステンレス等の金属に金メッキを施してなる。案内ピン５２は、長さ15mm、太さ0.7mmであり、銀、真鍮、ステンレス等の金属に金メッキを施してなる。図１０に本第１の実施形態であるピアスと髪飾りが一体化したアクセサリーを装着した様子を概念的に示すが、この図に示すように、ピアス５は、耳（外耳）より前の部分を長く垂らすことも、可能であるし、好みによっては、耳から髪飾り１に至る部分を長くとって、この部分の空間を印象深くすることも可能である。耳から髪飾り１に至る間におけるピアス５長さは、髪飾り１を装着する位置を選ぶことにより、任意に調節することができるので、そのときの気分に応じて美観を微妙に変化させて楽しむこともできる。また、チェーン５１の長さは、任意に設計することができるので、耳より前と後ろの部分のチェーン５１の長さは任意に選択可能である。
【００２７】
第１の実施形態の正面（図１）およびこの実施形態を装着した様子を概念的に示す図１０から分かるように、髪飾り１は、裏面に設けてあるヘアピン３における押えバネ３１と直線部３２とで髪を挟ませて髪に留められる。一方、ピアス５は、耳たぶなどの外耳に開けた微細な穴（貫通穴）に、案内ピン５２をまず挿通し、続いてチェーン５１を挿通することにより、外耳にチェーン５１が掛けられることにより、外耳に留められる。
【００２８】
そこで、もしピアス５が外耳から抜け落ちたときは、ピアス５は髪飾り１に繋がっているので、失われることはない。他方、髪飾り１が抜け落ちたときは、髪飾り１はチェーン５１で繋がれたピアス５により、吊り下がった状態で外耳に保持されるか、少なくとも、ピアス５が外耳から後ろ側に強く下に引かれるので、本実施形態を装着している人は髪飾り１の抜け落ちに気づくことができ、本実施形態のアクセサリーを失う可能性は低い。このように、本第１の実施形態では、格別な抜け落ち防止の部材や構造を設けることを要せずして、装飾の機能のために設けてある構造そのものでもって抜け落ちを防止したり、抜け落ちによる紛失の可能性を大きく低減したりすることができる。
【００２９】
図７は、本考案の第２の実施形態を概念的に示す正面図（Ａ）、その背面図（Ｂ）、その一部を拡大した拡大背面図（Ｃ）およびこの拡大背面図に現れているヘアピン３の側面図（Ｄ）である。本実施形態では、髪飾り１ａの正面形が、平行四辺形であり、上辺部１０１と下辺部１０３とは同じ長さであり、右辺部１０２と左辺部１０４とは同じ長さであるが、上辺部１０１、下辺部１０３は右辺部１０２、左辺部１０４とは長さを異にしている。そして、上辺部１０１には真珠１１１〜１１３が取り付けてある。ヘアピン３は上辺部１０１および下辺部１０３の裏側にろう付けしてある。チェーン５１の一端が連結される円環４は左辺部１０４にろう付けしてある。
【００３０】
図７の第２の実施形態では、髪飾り１ａが、図１乃至図３や図１０に示した髪飾り１とは正面形を異にし、異なった美観を呈している。また、真珠１１１〜１１３を設けてあるので、この点も美的効果の向上に寄与している。
【００３１】
図８は、本考案の第３の実施形態を概念的に示す正面図（Ａ）、その一部を拡大した拡大背面図（Ｂ）およびこの拡大背面図に現れているヘアピン３の側面図（Ｃ）である。本実施形態では、髪飾り１ｂが、正面形が円形である円環部１０５と、梁部１０６と、梁部１０６に取り付けられた真珠１１１〜１１３と、梁部１０６の裏にろう付けされたヘアピン３と、円環４とを有してなる。
【００３２】
図８の第３の実施形態では、髪飾り１ｂが図１乃至図３や図１０に示した髪飾り１や、図７に示した髪飾り１ａとは正面形を異にし、異なった美観を呈している。また、真珠１１１〜１１３を設けてあるので、図７の第２の実施形態同様に、この点も美的効果の向上に寄与している。
【００３３】
先に説明した本考案の第１の実施形態では、図６のヘアピン３を図４(Ａ)の金属棒２（中実の金属棒）にろう付けして、ヘアピン付き金属棒６（図４(Ｃ)）を製作し、このヘアピン付き金属棒６でもって、第１の枝状部２１および第３の枝状部２３を形成した。ヘアピンと金属棒とを固着したヘアピン付き金属棒を製作する別の方法を図９を参照して説明する。
【００３４】
図９は、本考案における髪飾りを髪に留めるのに用いるヘアピンの別の例を示すための側面図（Ａ）、この図（Ａ）のヘアピン３ａが取り付けられる中空金属棒２ａを示す斜視図（Ｂ）および本図（Ａ）のヘアピン３ａにおける直線形部３２ａを本図（Ｂ）の金属棒２ａの中空円筒に挿入したところを示す斜視図（Ｃ）である。本図（Ａ）のヘアピン３ａは、図６に示したヘアピン３に対応し、本図（Ｂ）の中空金属棒２ａは図４(Ａ)に示した金属棒２に対応する。
【００３５】
ヘアピン３ａにおける押えバネ部３１は図６におけるものと同様である。他方、ヘアピン３ａにおける直線形部３２ａは、図６における直線形部３２より細く、最大外形を1.2mmに形成してある。中空金属棒２ａは円筒であり、円筒の外形は2mm、内径は1.2mmである。中空金属棒２ａの円筒における一端から、その円筒内にヘアピン３ａにおける直線形部３２ａを挿入し、該円筒の該一端部において両者をろう付けする。図９（Ｃ）は、中空金属棒２ａの円筒における一端から、その円筒内にヘアピン３ａにおける直線形部３２ａを挿入した状態を示している。
【００３６】
図９（Ｃ）に示すように、中空金属棒２ａの円筒における一端から、その円筒内にヘアピン３ａにおける直線形部３２ａを挿入し、該一端部において両者をろう付けして、ヘアピン３ａを中空金属棒２ａ固定し、ヘアピン付き金属棒６ａを製作することができる。このように、図６のヘアピン３を図４（Ａ）の金属棒２に固着して図４（Ｃ）のヘアピン付き金属棒６製作したのと同様に、図９（Ａ）のヘアピン３ａを同図（Ｂ）の金属棒２ａに固着し、同図（Ｃ）のヘアピン付き金属棒６ａを製作できる。ヘアピン付き金属棒６ａをとヘアピン付き金属棒６と同様に用いることにより、第１実施形態における第１の枝状部２１および第３の枝状部２３を製作できる。第２の実施形態（図７）における上辺部１０１および下辺部１０３にヘアピン３を固着した構造および第３の実施形態（図８）における梁部１０６にヘアピン３を固着した構造にも、ヘアピン付き金属棒６または６ａの何れかを用いることができる。図９に示した方法によれば、ヘアピンを金属棒に一層強固に固定することができる。
【００３７】
以上、本考案の好適な実施形態について詳細に説明した。しかし、かかる実施形態は、本考案の単なる例示に過ぎず、何ら本考案を限定するものではないことに留意されたい。本考案の要旨を逸脱することなく、特定用途に応じて種々の変形変更が可能であることが、当業者には容易に理解できよう。
【符号の説明】
【００３８】
１    髪飾り
１ａ    平行四辺形髪飾り
１ｂ    円形髪飾り
２    金属棒
２ａ    中空金属棒
３    ヘアピン
３ａ    ヘアピン
４    円環  
５    ピアス
６    ヘアピン付き金属棒
６ａ    ヘアピン付き金属棒
２１    髪飾り１の第１の枝状部
２２    髪飾り１の第２の枝状部
２３    髪飾り１の第３の枝状部
３１    ヘアピンの押えバネ部
３２    ヘアピン３の直線形部
３２ａ    ヘアピン３ａの直線形部
５１    チェーン
５２    案内ピン
１０１    平行四辺形髪飾り１ａの上辺部
１０２    平行四辺形髪飾り１ａの右辺部
１０３    平行四辺形髪飾り１ａの下辺部
１０４    平行四辺形髪飾り１ａの左辺部
１０５    円形髪飾り１ｂの円環部
１０６    円形髪飾り１ｂの梁部
１１１，１１２，１１３    真珠
【図１】
0003202657.tif 000003
【図２】
0003202657.tif 000004
【図３】
0003202657.tif 000005
【図４】
0003202657.tif 000006
【図５】
0003202657.tif 000007
【図６】
0003202657.tif 000008
【図７】
0003202657.tif 000009
【図８】
0003202657.tif 000010
【図９】
0003202657.tif 000011
【図１０】
0003202657.tif 000012
【手続補正書】
【提出日】平成27年12月10日(2015.12.10)
【手続補正１】
【補正対象書類名】実用新案登録請求の範囲
【補正対象項目名】全文
【補正方法】変更
【補正の内容】
【実用新案登録請求の範囲】
【請求項１】
耳たぶなどの外耳にあけた穴を挿通される細長い鎖状体を主部とするピアス部と、前記鎖状体の一端に連結された髪飾り部とを有することを特徴とするピアスと髪飾りが一体化したアクセサリー。
【請求項２】
前記髪飾りは、中空または中実の金属棒にヘアピンを固着してなるヘアピン付き金属棒を有し、
前記ヘアピン付き金属棒におけるヘアピンは前記髪飾りの裏側にある
ことを特徴とする請求項１に記載のピアスと髪飾りが一体化したアクセサリー。
【請求項３】
前記髪飾りは、２本の前記ヘアピン付き金属棒と、１本の別の金属棒とを有し、
２本の前記ヘアピン付き金属棒と、１本の前記別の金属棒とは、各金属棒の片端で互いにろう付けされ、これら各金属棒は前記ろう付けされた部位から平面上に互いに角度をなして枝状に広がり、前記鎖状体の一端は前記ろう付けされた部位に連結されている
ことを特徴とする請求項２に記載のピアスと髪飾りが一体化したアクセサリー。
【請求項４】
前記髪飾りの正面形の輪郭が平行四辺形をなし、前記平行四辺形の４辺は金属棒でなり、前記平行四辺形における対向する２辺が前記ヘアピン付き金属棒であることを特徴とする請求項２に記載のピアスと髪飾りが一体化したアクセサリー。
【請求項５】
前記髪飾りの正面形が円環をなし、
前記円環に梁部が設けてあり、
前記梁部が前記ヘアピン付き金属棒である
ことを特徴とする請求項２に記載のピアスと髪飾りが一体化したアクセサリー。